(57)【要約】  本発明は、ラベルの真偽を判定するための方法であって、−  識別子の少なくとも一部を含むラベルの少なくとも一部の画像を、通信モバイル端末を用いて撮影するステップ（２０５）；−  前記識別子をサーバに送信するステップ（２１０）；−  ラベル画像の記憶から、前記識別子を有するラベルの画像を読み取るステップ（２１５）；−  記憶装置から読み取った画像の少なくとも一部を前記通信モバイル端末に送信するステップ（２２０）；および−  送信した画像の少なくとも一部を、前記端末で撮影した画像に重ね合わせて表示するステップ（２３０）を含む方法に関する。【選択図】図９
2014520471.tif 000002
【特許請求の範囲】
【請求項１】
ラベルの真偽を判定するための方法であって、
−  識別子の少なくとも一部を含むラベルの少なくとも一部の画像を通信モバイル端末を用いて撮影するステップ（２０５）；
−  前記識別子をサーバに送信するステップ（２１０）；
−  ラベル画像の記憶から、前記識別子を有するラベルの画像を読み取るステップ（２１５）；
−  記憶装置から読み取った画像の少なくとも一部を前記通信モバイル端末に送信するステップ（２２０）；および
−  送信した画像の少なくとも一部を、前記端末で撮影した画像に重ね合わせて表示するステップであって、画像を重ね合わせてできた画像は、これらの各点に、重ね合わせた各画像の点の値に同時に依存する値を有する、ステップ（２３０）
を含む方法。
【請求項２】
前記表示ステップ（２３０）で、画像は、自動的に重ね合わせられて前記画像間の差を最小にする、請求項１に記載の方法。
【請求項３】
前記表示ステップ（２３０）で、重ね合わせられる２つの画像は、この２つの画像にある前記ラベルの特徴要素を特定してこの特徴要素を重ね合わせることで、同じ寸法でかつ同じ向きに設定される、請求項１または２のうちいずれか一項に記載の方法。
【請求項４】
前記表示ステップ（２３０）で、前記画像のうちの一方は、視点の差を計算に入れるために変形させる、請求項１から３のうちいずれか一項に記載の方法。
【請求項５】
前記表示ステップ（２３０）で、自動的な重ね合わせで画像間の差が点単位で最小になるように、一方の画像は、他方の画像に対して並進移動する、請求項１から４のうちいずれか一項に記載の方法。
【請求項６】
前記識別子送信ステップ（２１０）で、前記モバイル端末は、前記撮影画像の少なくとも一部を送信し、前記サーバは、前記モバイル端末で送信された前記画像から前記識別子を判別する、請求項１から５のうちいずれか一項に記載の方法。
【請求項７】
前記識別子送信ステップ（２１０）で、前記モバイル端末は、前記撮影画像の少なくとも一部を処理することによって前記識別子を判別し、このように判別した前記識別子を表す記号を送信する、請求項１から５のうちいずれか一項に記載の方法。
【請求項８】
通信モバイル端末を用いてラベルの少なくとも一部の画像を撮影する前記ステップ（２０５）、および前記識別子をサーバに送信するステップ（２１０）で、前記識別子は、前記撮影した画像の少なくとも一部を含む、請求項１から７のうちいずれか一項に記載の方法。
【請求項９】
ラベルの画像の記憶から前記識別子を含むラベルの画像を読み取る前記ステップ（２１５）で、前記画像の少なくとも一部は、前記画像間の差が最小になるように自動的に重ね合わせられ、前記識別子を有するラベルの前記画像は、前記差が最小の画像である、請求項８に記載の方法。
【請求項１０】
前記読み取りステップ（２１５）で、重ね合わせられる画像の２つの部分は、両画像にある前記画像の特徴要素を特定してこの特徴要素を重ね合わせることで、同じ寸法でかつ同じ向きに設定され、画像の一部のうちの一方は、視点の差を計算に入れるために変形させ、自動的な重ね合わせで点単位の前記画像間の差が最小になるようにする、請求項９に記載の方法。
【請求項１１】
通信モバイル端末によってラベルの真偽を判定するための装置であって、
−  識別子の少なくとも一部を含むラベルの少なくとも一部の画像を撮影する手段（３２５）；
−  前記識別子をサーバ（３２０）へ送信する手段（３３５）；
−  記憶装置から読み取った画像の少なくとも一部を、前記サーバを介して受信する手段（３３５）；および
−  前記端末で撮影した画像に重ね合わせて送信された画像の少なくとも一部を表示する手段であって、画像を重ね合わせてできた前記画像は、これらの各点に、重ね合わせた各画像の点の値に同時に依存する値を有する手段（３３０、３４０）
を備える、装置（３１０）。
【請求項１２】
前記表示手段（３３０、３４０）は、画像を自動的に重ね合わせて前記画像間の差を最小にするように設計されている、請求項１１に記載の装置（３１０）。
【請求項１３】
前記表示手段（３３０、３４０）は、前記２つの画像にある前記ラベルの特徴点を特定して特徴要素を重ね合わせ、前記２つの画像を同じ寸法でかつ同じ向きに重ね合わせるように設定するように設計されている、請求項１１または１２のうちいずれか一項に記載の装置（３１０）。
【請求項１４】
前記表示手段（３３０、３４０）は、視点の差を計算に入れるために、前記画像のうちの一方を変形させるように設計されている、請求項１１から１３のうちいずれか一項に記載の装置（３１０）。
【請求項１５】
前記表示手段（３３０、３４０）は、自動的な重ね合わせで点単位の画像間の差が最小になるように、一方の画像が他方の画像に対して並進移動するように設計されている、請求項１１から１４のうちいずれか一項に記載の装置（３１０）。
【発明の詳細な説明】
【技術分野】
【０００１】
本発明は、製品の真偽を判定するラベルの製造方法およびこのラベルが関連する製品の真偽判定方法に関する。
【背景技術】
【０００２】
製品を識別するように設計された、例えばバーコードを含んでいるラベルによって、製品の種類を識別することはできるが、特にこれらのラベルが複製しやすいものであることから、その真偽を判定することはできない、すなわちその製品がコピーではないことを確認することはできない。
【０００３】
国際特許第２００４／０８１６４９号、米国特許第２００７／０９１３７６号および欧州特許出願第１９８６１６２号に記載された真偽判定方法および真偽判定装置が知られている。この各々の方法および装置には、膨大なデータ量および計算資源が使用されている。その上、これらの方法および装置では、ユーザの視覚による真偽の判定は不可能である。それどころか、この真偽の判定は自動的に実施されるものである。したがって、真偽の判定は、アルゴリズムエラーを受けたり、偽造者によって使用されるアルゴリズムに適応されたりする。
【先行技術文献】
【特許文献】
【０００４】
【特許文献１】国際特許第２００４／０８１６４９号
【特許文献２】米国特許第２００７／０９１３７６号
【特許文献３】欧州特許出願第１９８６１６２号
【発明の概要】
【発明が解決しようとする課題】
【０００５】
本発明は、これらの欠点を改善することを狙いとするものである。
【課題を解決するための手段】
【０００６】
これを達成するために、第１の態様によれば、本発明は、ラベルの真偽を判定するための方法であって、
−  識別子の少なくとも一部を含むラベルの少なくとも一部の画像を、通信モバイル端末を用いて撮影するステップ；
−  前記識別子をサーバに送信するステップ；
−  ラベル画像の記憶から、前記識別子を有するラベルの画像を読み取るステップ；
−  記憶装置から読み取った画像の少なくとも一部を前記通信モバイル端末に送信するステップ；および
−  送信した画像の少なくとも一部を、前記端末によって撮影された画像に重ね合わせて表示するステップであって、画像を重ね合わせてできた画像は、これらの各点に、重ね合わせた各画像の点の値に同時に依存する値を有する、ステップ
とから構成される。
【０００７】
これらの処理により、通信モバイル端末のユーザは、送信された画像および撮影された画像が十分に重ね合わされていることをチェックすることによって、最初のラベルの真正レベルを自ら確認することができる。
【０００８】
実施形態では、表示ステップで、画像は、自動的に重ね合わせられて、画像間の差を最小にする。
【０００９】
これらの処理により、評価対象のラベルの真偽を判定できるように重ね合わせるために、ユーザが労力を費やすことはない。
【００１０】
実施形態では、表示ステップで、重ね合わせられる２つの画像は、２つの画像にあるラベルの特徴点を特定してその特徴要素を重ね合わせることで、同じ寸法でかつ同じ向きに設定される。
【００１１】
実施形態では、表示ステップで、画像のうちの一方は、視点の差を計算に入れるために変形する。
【００１２】
実施形態では、表示ステップで、自動的な重ね合わせで点単位の画像間の差が最小になるように、一方の画像は、他方の画像に対して並進移動する。
【００１３】
実施形態では、識別子送信ステップで、モバイル端末は、前記撮影画像の少なくとも一部を送信し、サーバは、モバイル端末で送信された画像から前記識別子を判別する。
【００１４】
これらの処理により、第一に、通信モバイル端末は、実質的な画像処理資源を使用する必要がなく、第二に、識別子を判別するためのアルゴリズムは、リモートサーバ上で保護された状態で残る。
【００１５】
実施形態では、識別子送信ステップで、モバイル端末は、前記撮影画像の少なくとも一部を処理することによって識別子を判別し、このように判別した識別子を表す記号を送信する。
【００１６】
これらの処理により、通信モバイル端末からリモートサーバに送信されるデータ量は、識別子に縮小される。
【００１７】
実施形態では、通信モバイル端末を用いてラベルの少なくとも一部の画像を撮影するステップ、およびこの識別子をサーバに送信するステップで、前記識別子は、撮影した画像の少なくとも一部を含む。
【００１８】
実施形態では、ラベル画像の記憶から前記識別子を含むラベルの画像を読み取るステップで、画像の少なくとも一部は、前記画像間の差が最小になるように自動的に重ね合わせられ、前記識別子を有するラベルの画像は、前記差が最小の画像である。
【００１９】
実施形態では、読み取りステップで、重ね合わせる画像の２つの部分は、両画像にある画像の特徴点を特定してその特徴要素を重ね合わせることで、同じ寸法でかつ同じ向きに設定され、画像の一部のうちの一方は、視点の差を計算に入れるために変形し、自動的な重ね合わせで点単位の画像間の差が最小になるようにする。
【００２０】
特定の特徴によれば、表示ステップで、送信された画像の少なくとも一部は、撮影ステップで撮影された画像に重ね合わせて表示される。
【００２１】
これらの処理により、ユーザは、ラベルの別の画像を撮影する必要がない。
【００２２】
特定の特徴によれば、表示ステップで、送信された画像の少なくとも一部は、画像の少なくとも一部を送信するステップの後に撮影した画像に重ね合わせて表示される。
【００２３】
これらの処理により、ユーザは、記憶装置で読み取った画像を受信した後に、記憶装置で読み取った画像と重ね合わせて表示された画像が、記憶装置で読み取った画像に最も類似するように、画像撮影を調整することができる。
【００２４】
第２の態様によれば、本発明は、通信モバイル端末によってラベルの真偽を判定するための装置であって、この装置は、
−  識別子の少なくとも一部を含むラベルの少なくとも一部の画像を撮影する手段；
−  前記識別子をサーバに送信する手段；
−  記憶装置から読み取った画像の少なくとも一部を、サーバを介して受信する手段；および
−  前記端末で撮影した画像に重ね合わせた送信画像の少なくとも一部を表示する手段であって、画像を重ね合わせてできた画像は、これらの各点に、重ね合わせた各画像の点の値に同時に依存する値を有する手段
を備える、装置である。
【００２５】
実施形態では、表示手段は、画像を自動的に重ね合わせて前記画像間の差を最小にするように設計される。
【００２６】
実施形態では、表示手段は、２つの画像にあるラベルの特徴点を特定してその特徴要素を重ね合わせ、２つの画像を同じ寸法でかつ同じ向きに重ね合わせるように設定するように設計される。
【００２７】
実施形態では、表示手段は、視点の差を計算に入れるために、画像のうちの一方を変形させるように設計される。
【００２８】
実施形態では、表示手段は、自動的な重ね合わせで点単位の画像間の差が最小になるように、一方の画像が他方の画像に対して並進移動するように設計される。
【００２９】
本装置の特定の特徴、利点および目的は、本発明の主題である方法のそれと類似しているため、ここでは再度記載しない。
【００３０】
第３の態様によれば、本発明は、真偽判定用ラベルの製造方法であって、様々なグループのラベルに対して様々な位置を決定するステップであって、様々なグループのラベルの各々に対して、
−  真偽判定要素を含むデザインのマークを付けるステップ；および
−  点の集合を交差線上に配置させて形成するステップであって、前記線の位置が、位置決定ステップで決定される位置に応じたものである、ステップ
を含む方法である。
【００３１】
これらの処理により、点の集合を再現することは特に複雑になる。なぜなら、ラベルをコピーして偽造ラベルを作る場合、点の位置は分散されて明白な線と一致しなくなり、第二に、ラベルのコピー同士は同一のもので、必要とされる位置の相違点が備わっていないからである。
【００３２】
実施形態では、位置決定ステップで、円周が２つの異なるラベル数を表すシリンダを少なくとも２つ使用し、前記シリンダの一方は、ラベルを切断するように設計され、前記シリンダの他方は、前記点の集合を形成するように設計される。
【００３３】
したがって、位置の数は、使用するシリンダが表すラベル数の最小公倍数である。
【００３４】
第４の態様によれば、本発明は、真偽判定用ラベルの製造装置であって、
−  様々なグループのラベルに対して様々な位置を決定する手段；および
−  様々なグループのラベルの各々に対して、
−  真偽判定要素を含むデザインを各ラベルに形成するように設計され；かつ
−  各ラベルに、点の集合を交差線上に配置させて形成し、前記線の位置が、位置決定ステップで決定される位置に応じたものになるように設計される
ようにマークを付ける手段
を備える装置である。
【００３５】
第５の態様によれば、本発明は、真偽判定用ラベルであって、
−  真偽判定要素を含むデザイン；および
−  交差線上に配置された点の集合であって、前記線の位置が、異なるラベル同士で異なっていてよい、点の集合
を含むラベルである。
【００３６】
本装置の特定の特徴、利点および目的は、本発明の第３の態様の主題である方法のそれと類似しているため、ここでは再度記載しない。
【００３７】
第６の態様によれば、本発明は、真偽判定用ラベルの製造方法および前記各ラベルに特色を関連付ける方法であって、
−  前記各ラベルに、少なくとも１つのホログラムまたは回折要素を形成するステップ；
を含み、
−  各ラベルに対して、
−  前記ラベルに備わる複数のホログラムまたは回折要素の画像を撮影するステップ；
−  前記ラベルに備わる複数のホログラムまたは回折要素の特徴要素の位置を判別するステップ；および
−  ホログラムまたは回折要素の特徴要素のそれぞれの位置を表す情報項目を記憶するステップ
を含む方法である。
【００３８】
これらの処理により、ラベルの特色を判別し、記憶することができ、特色は、前記ラベルに形成されたホログラムまたは回折要素のそれぞれのずれで形成される。
【００３９】
実施形態では、各ホログラムまたは回折要素の特徴要素は、その表面の中心である。
【００４０】
これらの処理により、特徴要素は、ラベルの破損または画像撮影上の問題にそれほど影響を受けない。
【００４１】
実施形態では、各ホログラムまたは回折要素の特徴要素は、中心であり、前記各ホログラムまたは回折要素は、円盤を形成する。
【００４２】
これらの処理により、欠けた円盤要素は再生可能であるため、特徴要素は、ラベルの破損または画像撮影上の問題にそれほど影響を受けない。
【００４３】
実施形態では、前記各ホログラムまたは回折要素は、少なくとも１つの他のホログラムまたは回折要素から離れて形成される。
【００４４】
これらの処理により、ホログラムまたは回折要素の特徴要素のそれぞれの位置は、ホログラムまたは回折要素の群の位置決め公差に関わる不確かさに供される。
【００４５】
第７の態様によれば、本発明は、真偽判定用ラベルの製造装置および前記各ラベルに特色を関連付ける装置であって、
−  前記各ラベルに、少なくとも１つのホログラムまたは回折要素を形成する手段；
−  前記各ラベルに備わる複数のホログラムまたは回折要素の画像を撮影する手段；
−  前記ラベルに備わる複数のホログラムまたは回折要素の特徴要素の位置を判別する手段；および
−  ホログラムまたは回折要素の特徴要素のそれぞれの位置を表す情報項目を記憶する手段
を備える装置である。
【００４６】
本装置の特定の特徴、利点および目的は、本発明の第６の態様の主題である方法のそれと類似しているため、ここでは再度記載しない。
【００４７】
第８の態様によれば、本発明は、真偽判定用ラベルの製造方法および前記各ラベルに特色を関連付ける方法であって、
−  切断する基材に少なくとも１つの識別要素を形成して、前記各ラベルを形成するステップ
を含み、
−  各ラベルに対して、
−  基材を切断するステップであって、その切断で、少なくとも１つの前記識別要素の端から端までを切断する、ステップ；
−  前記切断ステップで切断した少なくとも１つの識別要素の少なくとも切断領域を撮影するステップ；および
−  切断領域を撮影した画像を表す情報項目を記憶するステップ
を含む方法である。
【００４８】
これらの処理により、ラベルの特色を判別し、記憶することができ、特色は、少なくとも１つの識別要素を切断する位置で形成される。また、位置決め公差に関わる不確かさに供される切断の位置、角度および形状は、再現が困難な特色を作る役割を果たす。
【００４９】
実施形態では、切断ステップで切断される少なくとも１つの識別要素は、コピー防止マークである。
【００５０】
実施形態では、記憶ステップは、識別要素の少なくとも２つの部分の間の切断位置の差を判別するステップを含む。
【００５１】
実施形態では、少なくとも１つの識別要素は、連続する平行線を含み、記憶ステップは、切断後にラベルに残っている前記識別マークの線の少なくとも１本を判別するステップを含む。
【００５２】
実施形態では、切断ステップで、円周が２つの異なるラベル数を表すシリンダを少なくとも２つ使用し、前記シリンダの一方は、少なくとも１つの識別要素を形成するように設計され、前記シリンダの他方は、ラベルを切断するように設計される。
【００５３】
ランダムな位置の数に、使用するシリンダが表すラベル数の最小公倍数を再度乗算する。
【００５４】
第９の態様によれば、本発明は、真偽判定用ラベルの製造装置および前記各ラベルに特色を関連付ける装置であって、
−  切断する基材に少なくとも１つの識別要素を形成して、前記各ラベルを形成する手段；
−  基材を切断する手段であって、その切断で、少なくとも１つの前記識別要素の端から端までを切断する手段；および
−  各ラベルに対して、
−  前記切断ステップで切断した少なくとも１つの識別要素の少なくとも切断領域を撮影するように設計され；かつ
−  切断領域を撮影した画像を表す情報項目を記憶するように設計された
特色を判別する手段
を備える装置である。
【００５５】
第１０の態様によれば、本発明は、ラベルの真偽を判定するための方法であって、
−  ラベルのエッジに接触している識別要素の少なくとも一部を含むラベルの少なくとも一部の画像を通信モバイル端末が撮影するステップ；
−  この識別要素をサーバへ送信するステップ；
−  ラベル画像の記憶から、前記識別要素を有するラベルの画像を読み取るステップ；
−  記憶装置から読み取った画像の少なくとも一部を前記通信モバイル端末に送信するステップ；および
−  送信した画像の少なくとも一部を、前記端末によって撮影された画像に重ね合わせて表示するステップ
を含む方法である。
【００５６】
これらの処理により、通信モバイル端末のユーザは、送信された画像および撮影された画像が十分に重ね合わさっていることをチェックすることによって、最初のラベルの真偽レベルを自ら確認することができる。
【００５７】
実施形態では、識別要素送信ステップで、モバイル端末は、前記撮影画像の少なくとも一部を送信し、サーバは、モバイル端末で送信された画像から識別要素の値を判別する。
【００５８】
これらの処理により、第一に、通信モバイル端末は、十分な画像処理資源を使用する必要がなく、第二に、識別要素を判別するためのアルゴリズムは、リモートサーバ上で保護された状態で残る。
【００５９】
実施形態では、識別子送信ステップで、モバイル端末は、前記撮影画像の少なくとも一部を処理することによって識別要素の値を判別し、このように判別した識別要素の値を表す記号を送信する。
【００６０】
これらの処理により、通信モバイル端末からリモートサーバに送信されるデータ量は、識別子に縮小される。
【００６１】
実施形態では、表示ステップで、送信した画像の少なくとも一部は、撮影ステップで撮影した画像に重ね合わせて表示される。
【００６２】
これらの処理により、ユーザは、ラベルの別の画像を撮影する必要がない。
【００６３】
実施形態では、表示ステップで、送信した画像の少なくとも一部は、画像の少なくとも一部を送信するステップの後に撮影した画像に重ね合わせて表示される。
【００６４】
これらの処理により、ユーザは、記憶装置で読み取った画像を受信した後に、記憶装置で読み取った画像と重ね合わせて表示された画像が、記憶装置で読み取った画像に最も類似するように、画像撮影を調整することができる。
【００６５】
実施形態では、表示ステップで、重ね合わせた画像の少なくとも１つは、ゴースト像であり、画像を重ね合わせてできた画像は、これらの各点に、重ね合わせた各画像の点の値に同時に依存する値を有する。
【００６６】
これらの処理により、ユーザによる画像の比較結果は、さらに目に見えるものになる。
【００６７】
実施形態では、表示ステップで、画像を自動的に重ね合わせて、前記画像間の差を最小にする。
【００６８】
これらの処理により、評価対象のラベルの真偽を判定できるように重ね合わせるために、ユーザが労力を費やすことはない。
【００６９】
第１１の態様によれば、本発明は、ラベルのエッジで切断した識別要素を含むラベルを提供する。
【００７０】
本装置の特定の特徴、利点および目的、本真偽判定方法および本ラベルは、本発明の第８の態様の主題である方法のそれと類似しているため、ここでは再度記載しない。
【００７１】
本発明の様々な態様は、本発明の目的を達成するための補完的なものであるため、組み合わせて用いることを意図している。
【００７２】
本発明のその他の利点、狙いおよび特定の特徴は、添付した図面を参照して非限定的な例として挙げた以下の説明から明らかになるであろう。
【図面の簡単な説明】
【００７３】
【図１】本発明の主題である製造方法に従って形成した第１のラベルの図である。
【図２】本発明の主題である製造方法に従って形成したその他のラベルの図である。
【図３】本発明の主題である製造方法に従って形成したその他のラベルの図である。
【図４】本発明の主題である製造方法に従って形成したその他のラベルの図である。
【図５】本発明の主題である製造方法の特定の実施形態に従って形成したラベルの詳細図である。
【図６】本発明の主題である製造方法の特定の実施形態に従って形成したラベルの詳細図である。
【図７】本発明の主題であるラベル製造方法の特定の実施形態で使用するステップを論理図の形態で示した図である。
【図８】本発明の主題であるラベル製造方法の特定の実施形態で使用するステップを論理図の形態で示した図である。
【図９】本発明の主題であるラベル真偽判定方法の特定の実施形態で使用するステップを論理図の形態で示した図である。
【図１０】本発明の主題であるラベル製造方法の特定の実施形態で使用するステップを論理図の形態で示した図である。
【図１１】本発明の主題である方法を用いるために使用した手段を示す図である。
【発明を実施するための形態】
【００７４】
図１は、本発明の主題であるラベル１０を示しており、このラベルは、真偽を判定する対象の製品（図示せず）に貼着するようにはなっていない表面に、製品の視覚識別表記領域１５、肉眼で判読可能な英数字の羅列２０、肉眼で見えるコピー防止マーク２５、英数字のマイクロ文字３０、ホログラム領域または被覆されていない回折要素領域３５、裸眼では見えないコピー防止マーク４０、２次元バーコード４５、製品に関する情報源の表記５０、および幾何学模様５５を含んでいる。
【００７５】
真偽を判定する対象の製品は、任意の種類のものである。図１に示した実施形態では、領域１５の製品の視覚識別表記は、「Ｃｒｕ  Ｂｏｕｒｇｅｏｉｓ」、すなわちワインボトル、ワイン醸造年、この場合は２００９年、および容量、この場合は７５０ｍｌを表している。これらの識別表記は、印刷されている。ラベル１０は、化学製品を用いずに剥がすとラベル１０の破損が目に見えるように、製品の容器または包装体に接着されるように設計される。
【００７６】
ラベル１０は、全体的にホログラムまたは回折要素３５を備え、同要素は、この場合は円形で、マーク１５、２０、２５、３０、４０、４５、５０および５５に部分的に覆われている。特に、ホログラムまたは回折要素を被覆している白色背景６０は、これらのホログラムまたは回折要素と印刷マーク２０、２５、４０、４５、５０および５５との間に挟まれている。
【００７７】
英数字の羅列２０は、まず、１つ１つのラベルで異なっていてよい情報項目であって、好ましくは各ラベルに固有である情報項目、およびラベル１０の製造設備の識別子を、符号化によって表している。当業者は、この記号の羅列２０を得るにあたり、様々な種類の様々な数字生成器および様々な種類の可逆符号化方式を使用することができる。したがって、このような種類の生成器および符号化方式は、ここでは詳述しない。
【００７８】
肉眼で見えるコピー防止マーク２５は、コピーされた場合に破損し、その破損度を測定できる詳細内容を含んでいるマークである。例えば、破損度は、コピー防止マークの画像を、元のマークの画像と比較することで測定される。他の１つの例によれば、コピー防止マーク２５は、誤り訂正符号（「ＣＲＣ」）を含む記号の羅列であり、実行される誤り訂正数をカウントして、測定値またはスコアを出し、この値を限界値と比較することによって、コピー防止マークが元のマークかコピーかを指摘する。
【００７９】
英数字のマイクロ文字３０は、光学機器で判読可能なメッセージである。マイクロ文字の破損は、この光学機器を用いると、そのラベルが元のラベルかコピーかを目視で評価することが可能になる。この実施形態では、記号の羅列２０は、マイクロ文字３０で再現され、場合によっては複製されることもある。
【００８０】
ホログラムまたは被覆されていない回折要素３５は、同じ幾何学形状であることが好ましく、この場合は円盤である。この幾何学形状の特徴点、この場合その中心は、他のホログラムまたは回折要素３５の同じ点と共に、ほぼ一列の点になって分散している。縦または横のそれぞれの直線に対してこの特徴点が連続してずれると、ラベル１０またはラベル１０のバッチを識別できる特色が現れる。
【００８１】
裸眼では見えないコピー防止マーク４０は、背景に対する対照性が低い点が分散したものであり、各点は、この分散の他の点から離れている。好ましくは、
−  点の中心は、これらの点の寸法の倍数ではなく、これらの点の寸法の分数の倍数である値だけ互いにずれ；
−  これらの点の縦および横の寸法の差の値は、これらの寸法の最小寸法の倍数ではなく、この最小寸法の分数の倍数であり；かつ／または
−  これらの点の縦の寸法および／または横の寸法同士の差の値は、これらの点の縦または横それぞれの最小寸法の倍数ではなく、最小寸法の分数の倍数である。
【００８２】
この場合に考えられる分数は１／２、１／３、１／４または１／５である。好ましくは、これらの分数の倍数は、マーク４０内に均一に存在する。
【００８３】
２次元バーコード４５は、その製品に関する一般または固有の識別情報項目を含んでいる。例えば、バーコード４５は、Ｄａｔａ  Ｍａｔｒｉｘ（登録商標）である。
【００８４】
情報源表記５０は、製品のユーザまたは消費者がその製品に関して知ることのできるものである。図示した実施形態では、この表記５０は、ホームページの電子アドレスである（ｗｗｗ．ｃｒｕｓ−ｂｏｕｇｅｏｉｓ．ｃｏｍ）。
【００８５】
幾何学模様５５は、幾何学線に沿って分散した点で形成されている。幾何学模様の位置は、１０から１４の異なるラベル同士で異なっていてよい。このようにするために、ラベル製造過程では、好ましくは設置数の異なる切断シリンダおよび印刷シリンダを使用する。例えば、切断シリンダを１１４設置し、印刷シリンダを１４４設置すると、この数の最小公倍数に等しい様々な位置の数が生じ、すなわちおよそ２７００の様々な位置が生じる。
【００８６】
好ましくは、肉眼で判読可能な英数字の羅列２０の内容と、肉眼で見えるコピー防止マーク２５の内容と、裸眼では見えないコピー防止マーク４０の内容と、２次元バーコード４５の内容とは、同じである、すなわち、これらは少なくとも１つの共通する情報項目を表すものである。図１から図４は、これらの保護要素はそれぞれ異なっていることを示している。
【００８７】
このように、偽の羅列、偽のコピー防止マークおよび／または偽のバーコードの発生は、単にこの共通の情報項目を検索する（読み取り、復号化する）ことで検出することができる。
【００８８】
図５および図６は、ラベルの切断過程で切断された、肉眼で見えるコピー防止マーク２９（同じく３９）を示している。切断線３４（同じく４４）は、コピー防止マークの少なくとも１つの線を切断している。図５では、この切断線３４は、１つの線のみを切断しているのに対し、図６では、切断線４４がコピー防止マーク３９の線と平行ではないため、いくつかの線が切断されている。
【００８９】
図７が示すように、本発明の主題であるラベル製造方法の特定の実施形態では、ステップ１０５で、印刷基材を作製し、ステップ１１５で、前記基材への情報印刷ステップを実行し、ステップ１５０で、ラベルが表す情報を記憶する。
【００９０】
ラベル１０は、化学製品を用いずに剥がすとラベル１０の破損が目に見えるように、製品の容器または包装体に接着されるように製作される。このようにするために、印刷基材は、最初に、接着剤を塗布したプラスチックテープの形態をしており、接着剤は、この接着剤から分離しやすいように設計されているフィルムで保護されている。また、この接着剤の塗布および保護は、ラベルのテープを製造した後で、ラベルを切断する前に実行される。
【００９１】
ステップ１０５は、前記ラベルの各々に少なくとも１つのホログラムを形成するステップ１１０を含む。好ましくは、各ホログラムまたは回折要素は、少なくとも１つの他のホログラムまたは回折要素から離れて、さらに好ましくは、複数の他のホログラムまたは回折要素とから離れて、あるいは他のすべてのホログラムまたは回折要素から離れて形成される。
【００９２】
ステップ１１５は、様々なグループのラベルに対して様々な位置を決定するステップ１２０を含む。好ましくは、位置決定ステップ１２０では、円周が２つの異なるラベル数を表すシリンダを少なくとも２つ使用し、前記シリンダの一方は、ラベルを切断するように設計され、前記シリンダの他方は、前記点の集合を形成するように設計される。
【００９３】
このように、ラベル１０全体は、マーク１５、２０、２５、３０、４０、４５、５０および５５で部分的に覆われたホログラムまたは回折要素３５を含んでいる。特に、ホログラムまたは回折要素を被覆している白色背景６０は、ステップ１２５の前に、これらのホログラムまたは回折要素と印刷マーク２０、２５、４０、４５、５０および５５との間に挟まれる。
【００９４】
次に、様々なグループのラベルの各々に対して、
−  印刷背景、この場合は白色背景を印刷するステップ１２５；および
−  点の集合５５を交差線上に配置させて形成するステップであって、前記線の位置が、位置決定ステップで決定される位置に応じたものである、ステップ１３０
を実行する。
【００９５】
幾何学模様５５は、幾何学線に沿って分散した点で形成される。幾何学模様の位置は、様々なラベル同士で異なっていてよい。好ましくは、設置数の異なる切断シリンダおよび印刷シリンダを使用する。例えば、切断シリンダを１１４設置し、印刷シリンダを１３０配置すると、この数の最小公倍数に等しい様々な位置の数が生じ、すなわちおよそ７４１０の様々な位置が生じる。
【００９６】
ステップ１３５では、ラベル製造設備の少なくとも１つの識別子を決定する。ステップ１４０では、ラベル用の固有値を決定し、この固有値および少なくとも１つの製造工具の識別子を符号化することで、羅列２０の値、マーク２５の値、文字３０の値、マーク４０の値および２次元バーコード４５の値を決定する。特に、英数字の羅列２０は、このように、まず、ラベルによって１つ１つ異なっていてよい情報項目であって、好ましくは各ラベルに固有である情報項目、およびラベル１０の製造設備の識別子を、符号化によって表している。他の識別要素２５、３０、４０および４５の値は、製造設備の識別子によって異なっていなくてもよい。
【００９７】
ステップ１４５では、本発明の主題である各ラベルに対して、真偽を判定する対象の製品に貼着するようにはなっていない表面に、製品の視覚識別表記領域１５、製品に関する情報源の表記５０、およびラベルの真偽判定コードを印刷する。真偽判定コードは、肉眼で判読可能な英数字の羅列２０、肉眼で見えるコピー防止マーク２５、英数字３０のマイクロ文字、裸眼では見えないコピー防止マーク４０、および２次元バーコード４５を含む。
【００９８】
ステップ１５０（図８）では、各ラベルに対して、
−  ラベルを切断するステップ１５５；
−  前記ラベルに備わっている複数のホログラムまたは回折要素の画像を、例えばリニアカメラで撮影するステップ１６０；
−  前記ラベルに備わっている複数のホログラムまたは回折要素の特徴要素の位置を判別するステップ１６５；および
−  ホログラムまたは回折要素の特徴要素のそれぞれの位置を表す情報項目を記憶するステップ１７０
を実行する。
【００９９】
実施形態では、ステップ１６０では、各ホログラムまたは回折要素の特徴要素は、その表面の中心であり、各ホログラムまたは回折要素が円盤形状である場合は、その円盤の中心である。
【０１００】
ステップ１７５では、ラベルの画像は、データベースに記憶される。
【０１０１】
図９に示すように、本発明の主題であるラベルの真偽の判定のための特定の実施形態では、まず、識別子の少なくとも一部を含むラベルの少なくとも一部の画像を通信モバイル端末を用いて撮影するステップ２０５を実行する。
【０１０２】
ステップ２１０では、通信モバイル端末は、この識別子を、例えば携帯電話のネットワークを介してリモートサーバに送信する。
【０１０３】
実施形態では、識別子を送信するステップ２１０で、モバイル端末は、前記撮影画像の少なくとも一部を送信し、サーバは、モバイル端末によって送信されてきた画像から識別子を、例えば光学式文字認識（ＯＣＲ）を使用して判別する。他の実施形態では、前記撮影画像の少なくとも一部を処理することで識別子の値を判別し、そのように判別した識別子を表す記号を送信するのは、通信モバイル端末である。
【０１０４】
ステップ２１５では、サーバは、ラベル画像の記憶から、前記識別子を有するラベルの画像を読み取る。
【０１０５】
ステップ２２０では、サーバは、記憶装置から読み取った画像の少なくとも一部を通信モバイル端末に送信する。
【０１０６】
ステップ２３０では、通信モバイル端末は、送信した画像の少なくとも一部を、前記端末で撮影した画像に重ね合わせて表示する。
【０１０７】
実施形態では、表示ステップ２３０で、送信した画像の少なくとも一部は、撮影ステップで撮影した画像に重ね合わせて表示される。この実施形態では、表示ステップ２３０で、送信した画像の少なくとも一部は、画像の少なくとも一部を送信するステップの後に撮影した画像に重ね合わせて表示される。この実施形態では、表示ステップ２３０で、重ね合わせた画像の少なくとも１つは、ゴースト像であり、画像を重ね合わせてできた画像は、これらの各点に、重ね合わせた各画像の点の値に同時に依存する値を有する。
【０１０８】
実施形態では、ステップ２１０で画像が送信された際のサーバか、通信モバイル端末のいずれかにおいて、ステップ２２５で画像を自動的に重ね合わせる。
【０１０９】
例えば、２つの画像にあるラベルの特徴点を特定してそれを重ね合わせることで、２つの画像を同じ寸法でかつ同じ向きに設定する。場合によっては、特に、配置した際にラベルが平坦ではない場合の視点の差を計算に入れるために、画像のうちの一方を変形させる。
【０１１０】
そうすると、画像のうちの一方は、自動的な重ね合わせで点単位の画像間の差が最小になるように、他方の画像に対して並進移動する。このように、残りの差は、通信モバイル端末のユーザに明確に表示され、このユーザは、ラベルを備えている製品の真偽の判定に関する見解を迅速に形成することができる。
【０１１１】
よって、ラベル画像のデータベースがあることにより、ユーザが単に携帯電話を用いてラベルの画像を送ってチェックする段階で、サーバは、２次元バーコードを読み取ることができ、ランダムな英数字の文字列の一部を含む領域の拡大図と、点の集合５５の詳細と、このラベル特有の切断工具の番号、すなわち、様々なラベル同士で異なっていてよい３つの要素に相当する３つの視覚情報項目と一緒に、ラベルの完全な画像を送信することができる。この視覚情報により、ユーザは、ラベルの真正性を直接確認することができる。
【０１１２】
実施形態では、ステップ２３５で送信された画像に基づいて、サーバは、画像およびこの画像内で読み取られたラベルに対して追加処理を実行して、ラベルの真正性を判定する。特に、ステップ２３５では、文字列２０の値に相当するものを復号化した後、マーク２５、文字３０、マーク４０および２次元バーコード４５をチェックする。このほか、ステップ２４０では、ホログラムまたは回折要素３５の位置を判別し、ラベル上で規則的な間隔があいた位置の距離を、ステップ１８０で記憶した位置と比較する。この比較結果に応じて、すなわち、所定の限界値で受信した画像に基づいて記憶され判別された位置の距離の和を比較することで、そのラベルが本物かどうかを判定し、ラベルの真正性を表すメッセージをステップ２４５で通信モバイル端末に送る。
【０１１３】
図１０は、ラベルを形成するために切断する基材に情報を印刷する、特に肉眼で見えるコピー防止マークを印刷するステップ１１５の後、ラベルの切断に関する情報を記憶するステップ２５０を実行する様子を示している。
【０１１４】
ステップ２５０では、各ラベルに対して、
−  ラベルを切断するステップであって、少なくとも１つの識別要素、好ましくはコピー防止マークを切断するステップ２５５；
−  前記ラベルに備わる識別要素の少なくとも１つの切断部の画像を、例えばリニアカメラで撮影するステップ２６０；
−  切断したラベルの特色を判別するステップ２６５；
−  識別要素の切断の特色を表す情報項目を記憶するステップ２７０；および
−  識別要素の切断部の画像をデータベースに記憶するステップ２７５
を実行する。
【０１１５】
実施形態では、ステップ２６５では、特色は、切断部の位置、角度および形状に因ってよく、これらは、位置決め公差に関わる不確かさに供され、再現が困難な特色を作る役割を果たす。変形例では、ステップ２６５で、識別要素の少なくとも２つの部分、例えばコピー防止マークの２つの端部の間の切断位置の差を判別する。変形例では、ステップ２６５で、少なくとも１つの識別要素が連続する平行線を含んでいるとき、切断後にラベルに残っている前記識別マークの線の少なくとも１本を判定する。線の数は、識別要素の一方の端部の最小数、他方の端部の最大数、またはこの２つの数の間の平均数とすることができる。
【０１１６】
変形例では、ステップ２５５で、円周が２つの異なるラベル数を表すシリンダを少なくとも２つ使用し、前記シリンダの一方は、少なくとも１つの識別要素を形成するように設計され、前記シリンダの他方は、ラベルを切断するように設計される。切断線およびラベルをそれぞれ動かすことによって、ランダムな位置の数に、使用するシリンダが表すラベル数の最小公倍数を再度乗算する。
【０１１７】
図１０に示した全ステップは、ラベル上に全体的に位置する識別要素に基づいてユーザが真正性を判定する場合にも、切断した識別要素に基づいてユーザが真正性を判定する場合にも適用され、後者の場合の方が、通信モバイル装置のユーザが、ラベルが本物かどうかをさらに判定しやすくなる点に注意されたい。
【０１１８】
図１１は、ラベル３０５、通信モバイル端末３１０、コンピュータネットワーク３１５およびサーバ３２０を示している。ラベル３０５は、本明細書の他の段落に記載した通りのものである。通信モバイル端末３１０は、ラベル３０５を備える製品の真偽判定を希望するユーザが使用する。例えば、通信モバイル端末３１０は、「スマートフォン」である。通信モバイル端末は、ユーザがラベル３０５の前に設置する撮像手段３２５、画像処理手段３３０、ヘルツエミッタ３３５および表示画面３４０を備えている。
【０１１９】
コンピュータネットワーク３１５は、例えば、無線通信ネットワークとインターネットネットワークとを組み合わせたものである。サーバ３２０は、コンピュータネットワーク３１５を介して通信モバイル端末３１０と通信する。
【０１２０】
画像処理手段３３０およびサーバ３２０は、図１から図１０を参照して記載した方法の様々な態様からなるステップを共有するように構成されている。
【０１２１】
実施形態では、通信モバイル端末３１０は、
−  識別子の少なくとも一部を含むラベルの少なくとも一部の画像を撮影する手段３２５；
−  この識別子をサーバ３２０に送信する手段３３５；
−  サーバ３２０の記憶装置から読み取った画像の少なくとも一部であって、サーバ３２０に送信した識別子と一致する部分を、サーバ３２０を介して受信する手段３３５；および
−  前記端末で撮影した画像に重ね合わせた送信画像の少なくとも一部を表示する画像処理手段３３０および表示手段３４０からなる手段であって、画像を重ね合わせてできた画像は、これらの各点に、重ね合わせた各画像の点の値に同時に依存する値を有する、手段
を備える。
【０１２２】
識別子は、撮影画像の一部もしくは全部、または撮影画像から読み取った記号とすることができる点に注意されたい。また、重ね合わせは、最初に撮影した画像を用いて実行してもよいし、あるいは、サーバ３２０から画像を受信した後に撮影した画像を用いて実行してもよい点にも注意されたい。
【０１２３】
実施形態では、このように表示手段を備えている画像処理手段３３０および表示画面３４０は、画像を自動的に重ね合わせて前記画像間の差を最小にするように設計される。
【０１２４】
実施形態では、このように表示手段を備えている画像処理手段３３０および表示画面３４０は、２つの画像にあるラベルの特徴点を特定してその特徴要素を重ね合わせ、２つの画像を同じ寸法でかつ同じ向きに重ね合わせるように設定するように設計される。
【０１２５】
実施形態では、このように表示手段を備えている画像処理手段３３０および表示画面３４０は、視点の差を計算に入れるために、画像のうちの一方を変形させるように設計される。
【０１２６】
実施形態では、このように表示手段を備えている画像処理手段３３０および表示画面３４０は、自動的な重ね合わせで点単位の画像間の差が最小になるように、一方の画像が他方の画像に対して並進移動するように設計される。
【０１２７】
実施形態では、識別子を送信するために、モバイル端末３１０は、前記撮影画像の少なくとも一部を処理することによって識別子を判別し、このように判別した識別子を表す記号を送信する。このようにして、端末３１０とサーバ３２０との間の通信に必要なデータ量は軽減される。
【０１２８】
実施形態では、識別子を送信するために、モバイル端末３１０は、前記撮影画像の少なくとも一部を送信し、サーバ３２０は、モバイル端末で送信された画像から前記識別子を判別する。このようにして、端末３１０に必要な資源、特に画像処理手段３３０に必要な資源は削減される。
【０１２９】
実施形態では、識別子を送信するために、モバイル端末３１０は、前記撮影画像の少なくとも一部を処理することによって識別子を判別し、このように判別した識別子を表す記号を送信する。
【０１３０】
実施形態では、前記識別子をサーバに送信するために、前記識別子は、撮影画像の一部を含む。
【０１３１】
実施形態では、ラベル画像の記憶から前記識別子を含むラベルの画像を読み取るステップ２１５で、サーバは、前記画像間の差が最小になるように、画像の少なくとも一部を自動的に重ね合わせ、前記識別子を有するラベルの画像は、前記差が最小の画像である。
【０１３２】
実施形態では、読み取りステップ２１５で、サーバは、両画像にある画像の特徴点を特定してその特徴要素を重ね合わせることで、画像の２つの部分を同じ寸法でかつ同じ向きに重ね合わせるように設定し、視点の差を計算に入れるために、画像の一部のうちの一方を変形させ、自動的な重ね合わせで点単位の画像間の差が最小になるようにする。
【図１】
2014520471.tif 000003
【図２】
2014520471.tif 000004
【図３】
2014520471.tif 000005
【図４】
2014520471.tif 000006
【図５】
2014520471.tif 000007
【図６】
2014520471.tif 000008
【図７】
2014520471.tif 000009
【図８】
2014520471.tif 000010
【図９】
2014520471.tif 000011
【図１０】
2014520471.tif 000012
【図１１】
2014520471.tif 000013
【国際調査報告】
2014520471.tif 000014
2014520471.tif 000015
2014520471.tif 000016
2014520471.tif 000017
2014520471.tif 000018
2014520471.tif 000019